(57)【特許請求の範囲】
【請求項１】
書換え可能な記録媒体に対して記録又は消去用の光を照射する光源と、
前記記録媒体の記録済み領域に対して前記光源により記録用の光を照射させて上書き記録を行わせる上書き記録手段と、
前記記録媒体の記録済み領域に対して前記光源により消去用の光を照射させて消去した後に記録用の光を照射させて記録を行わせる消去後記録手段と、
前記上書き記録手段による記録と前記消去後記録手段による記録との何れかを選択する記録モード選択手段と、
記録するデータ容量を測定するデータ量測定手段とを有し、
前記消去後記録手段は前記データ量測定手段により測定された前記データ容量分の記録済み領域のデータを消去した後にそのデータ容量分の記録を行わせる手段である情報記録装置。
【請求項２】
２段階以上の記録速度を選択自在に有し、
前記記録モード選択手段は低速記録速度が選択された場合には前記上書き記録手段による記録を選択し、高速記録速度が選択された場合には前記消去後記録手段による記録を選択する手段である請求項１記載の情報記録装置。
【請求項３】
ＣＬＶ記録モードとＣＡＶ記録モードとを選択自在に有し、前記記録モード選択手段はＣＬＶ記録モードが選択された場合には前記上書き記録手段による記録を選択し、ＣＡＶ記録モードが選択された場合には前記消去後記録手段による記録を選択する手段である請求項１記載の情報記録装置。
【請求項４】
前記消去後記録手段はその記録速度より消去速度の方が高速に設定されている請求項１ないし３の何れか一に記載の情報記録装置。
【請求項５】
前記記録媒体が、相変化型記録媒体である請求項１ないし４の何れか一に記載の情報記録装置。
【発明の詳細な説明】
【０００１】
【発明の属する技術分野】
本発明は、相変化型記録媒体のような書換え可能な記録媒体に対する情報記録装置に関する。
【０００２】
【従来の技術】
書換え可能な記録媒体の一つとして、記録材料に相変化材料を用いたＣＤ−ＲＷ（Ｃompact Ｄisc−Ｒewritable）光ディスクがある。この相変化材料は可逆変化特性を有しており、急速に熱を与えた後で急速に冷やすことで低反射率のアモルファス状態となり、徐々に熱を与えた後で徐々に冷やすことで高反射率の結晶状態となる。
【０００３】
ＣＤ−ＲＷ光ディスクでは、例えば、図８に示すようなＥＦＭ（Ｅight-Ｆourteen Ｍodulation）記録情報に対してマルチパルスに従ったレーザ発光波形（ライトストラテジ）の照射により、これらの反射率の異なる２つの状態を作り出すことにより、情報の記録が行われる。ＣＤ−ＲＷ光ディスクでは、図８中のＡでアモルファス状態に、Ｂで結晶状態になる。図８中のＡは、ライトパワーＰｗとリードパワーＰｒとの繰返しマルチパルス波形であり、この繰返しマルチパルスのパルス長（パルス数）により３Ｔ〜１１Ｔの幅のピット列をグルーブ上に形成する。ピットとピットとの間の結晶状態は、イレースパワーＰｅのレーザ光で形成される。これにより、ＣＤと同様なＥＦＭピットが形成され、図８中に示すリード信号に従い情報の再生が可能となる。また、可逆変化特性を有するため、繰返し記録（ＷＲＩＴＥ）が可能である。
【０００４】
繰返し記録を行うには、ＣＤ−ＲＷ光ディスク上の記録管理情報のみを消去することで擬似的にブランクディスクと見倣してから記録済みデータ領域上に直接上書きを行う記録方法と、ＣＤ−ＲＷ光ディスク全面の情報を消去（イレース）してから記録する記録方法とがある。何れの記録方法を用いて繰返し記録を行わせるかは、ユーザが記録用のアプリケーションから選択することになる。
【０００５】
【発明が解決しようとする課題】
一般的にＣＤ−ＲＷ光ディスク上の全面をイレースしてから記録する方がＣＤ−ＲＷ光ディスク上の旧データ上に新規データをそのまま上書き（オーバーライト）する場合より記録品質が高いことが知られており、特に高速記録において顕著である（オーバーライト時の消え残りに関しては、例えば、特開平５−９４６２１号公報、特開平５−３３４６７４号公報等参照）。
【０００６】
しかし、データを書換える前に、必ず、消去モード設定により、一旦ＣＤ−ＲＷ光ディスク上を全面消去することはユーザにとって面倒で負担となることが多い。
【０００７】
そこで、本発明は、これらの問題を解決し、ユーザに面倒をかけることなく、かつ、必要以上に処理時間をかけることなく、信頼のおける記録情報品質が得られる情報記録装置を提供することを目的とする。
【０００８】
【課題を解決するための手段】
請求項１記載の発明は、書換え可能な記録媒体に対して記録又は消去用の光を照射する光源と、前記記録媒体の記録済み領域に対して前記光源により記録用の光を照射させて上書き記録を行わせる上書き記録手段と、前記記録媒体の記録済み領域に対して前記光源により消去用の光を照射させて消去した後に記録用の光を照射させて記録を行わせる消去後記録手段と、前記上書き記録手段による記録と前記消去後記録手段による記録との何れかを選択する記録モード選択手段と、記録するデータ容量を測定するデータ量測定手段とを有し、前記消去後記録手段は前記データ量測定手段により測定された前記データ容量分の記録済み領域のデータを消去した後にそのデータ容量分の記録を行わせる手段である。
【０００９】
従って、上書き記録手段と消去後記録手段とを選択自在に併有し、記録モード選択手段により何れかを選択して記録させるようにしたので、必要に応じて消去後記録手段を選択して記録媒体の記録済み領域に対して光源により消去用の光を照射させて消去した後に記録用の光を照射させて記録を行わせることにより、信頼性の高い記録情報品質を得ることができ、特に記録品質の劣化を生じないケースでは上書き記録手段を選択して上書き記録を行わせることにより、必要以上に処理時間をかけることなく記録を行わせることができる。また、消去後記録手段による記録を行う上で、記録するデータ容量を測定し、そのデータ容量分だけ記録済み領域のデータを消去した後にそのデータ容量分の記録を行わせることで、消去に要する時間を必要最少限にして信頼のおける記録情報品質を得ることができる。
【００１０】
請求項２記載の発明は、請求項１記載の情報記録装置において、２段階以上の記録速度を選択自在に有し、前記記録モード選択手段は低速記録速度が選択された場合には前記上書き記録手段による記録を選択し、高速記録速度が選択された場合には前記消去後記録手段による記録を選択する手段である。
【００１１】
従って、特に記録品質が低下しやすい高速記録速度による記録時には消去後記録手段による記録を自動的に選択することで、記録品質を確保することができる一方、特に記録品質の劣化を生じない低速記録速度による記録時には上書き記録手段を選択して上書き記録を行わせることにより、必要以上に処理時間をかけることなく記録を行わせることができる。
【００１２】
請求項３記載の発明は、請求項１記載の情報記録装置において、ＣＬＶ記録モードとＣＡＶ記録モードとを選択自在に有し、前記記録モード選択手段はＣＬＶ記録モードが選択された場合には前記上書き記録手段による記録を選択し、ＣＡＶ記録モードが選択された場合には前記消去後記録手段による記録を選択する手段である。
【００１３】
従って、線速度が速くなり特に記録品質が低下しやすいＣＡＶ記録モードによる記録時には消去後記録手段による記録を自動的に選択することで、記録品質を確保することができる一方、線速度が一定で特に記録品質の劣化を生じないＣＬＶ記録モードによる記録時には上書き記録手段を選択して上書き記録を行わせることにより、必要以上に処理時間をかけることなく記録を行わせることができる。
【００１６】
請求項４記載の発明は、請求項１ないし３の何れか一に記載の情報記録装置において、前記消去後記録手段はその記録速度より消去速度の方が高速に設定されている。
【００１７】
従って、消去後記録手段による記録を行う上で、消去速度の方が記録速度よりも速いので、処理時間を短縮させることができる。
【００１８】
請求項５記載の発明は、請求項１ないし４の何れか一に記載の情報記録装置において、前記記録媒体が、相変化型記録媒体である。
【００１９】
従って、書換え可能な記録媒体として典型的な相変化型記録媒体を用いた場合に請求項１ないし４記載の情報記録装置の作用・効果を得ることができる。
【００２０】
【発明の実施の形態】
本発明の第一の実施の形態を図１及び図２に基づいて説明する。図１は本実施の形態の光情報記録装置であるＣＤ−ＲＷ用ドライブ装置の構成例を示す概略ブロック図である。
【００２１】
まず、ドライブ装置に装填された記録媒体である相変化型光ディスクによる光ディスク１を回転駆動されるスピンドルモータ２が設けられている。このスピンドルモータ２はＣＬＶ／ＣＡＶコントローラ３により線速度一定（ＣＬＶ）又は角速度一定（ＣＡＶ）となるように回転制御される。また、光源である半導体レーザ、対物レンズ、受光素子等を備えて光ディスク１に対して記録用、再生用又は消去用の光ビームを集光照射させるための光ピックアップ４が光ディスク１の半径方向にシーク移動自在に設けられている。この光ピックアップ４の半導体レーザに対してはＬＤドライバ５が接続されており、書き込み情報がＥＦＭ（Ｅight-Ｆourteen Ｍodulation）エンコーダ６を介して入力されることにより半導体レーザを変調駆動させて書き込み動作を行わせる。ここに、光ピックアップ４、ＬＤドライバ５及びＥＦＭエンコーダ６により記録手段７が構成されている。
【００２２】
また、光ピックアップ４中の受光素子から得られるフォーカシング／トラッキング用のサーボ信号を用いて対物レンズに対するサーボ制御を行うサーボコントローラ８が設けられている。
【００２３】
一方、光ディスク１に対して再生動作を行い光ピックアップ４中の受光素子に基づきＲＦ信号を出力するＲＦ回路９が設けられている。ＲＦ回路９にはそのＲＦ信号をデコードするＥＦＭデコーダ１０が接続されている。
【００２４】
そして、これらの各部７〜１０を制御するＣＰＵ等を備えたシステムコントローラ１１が設けられている。このシステムコントローラ１１には各種モード設定等を行うための操作部１２が接続されている。
【００２５】
ここに、本実施の形態では、システムコントローラ１１による制御の下に、記録手段７の動作を切換えることにより、上書き記録手段と消去後記録手段との機能が選択的に実行されるように構成されている。上書き記録手段は、光ディスク１の記録済み領域に対して半導体レーザにより記録用の光を照射させて上書き記録を行わせる手段であり、消去後記録手段は、光ディスク１の記録済み領域（全面）に対して半導体レーザにより消去用の光を照射させて消去した後に記録用の光を照射させて記録を行わせる手段である。また、本実施の形態では、操作部１２が上書き記録手段による上書きモードと、消去後記録手段による消去後記録モードとの記録モード選択手段として機能する。
【００２６】
このような構成において、記録済みの光ディスク１に対する記録時の動作制御例を図２に示す概略フローチャートを参照して説明する。まず、記録指令が出されて処理が開始されると、操作部１２により上書きモードが選択されているか否かを判断する(ステップＳ１)。上書きモードが選択されている場合には（Ｓ１のＹ）、上書きモードに設定し（Ｓ２）、上書きモードに従い光ディスク１に対する記録処理を行う（Ｓ５）。即ち、光ディスク１の記録済み領域に対して半導体レーザにより記録用の光を照射させてそのまま上書き記録を行わせる。これらのステップＳ２及びＳ５の処理が上書き記録手段の機能として実行される。
【００２７】
一方、操作部１２により上書きモードが選択されていない場合には（Ｓ１のＮ）、消去後記録モードに設定し（Ｓ３）、光ディスク１の全面をＤＣ消去した後（Ｓ４）、消去後記録モードに従い光ディスク１に対する記録処理を行う（Ｓ５）。即ち、光ディスク１の記録済み領域（全面）に対して半導体レーザによりイレースパワーＰｅによる消去用の光を照射させて消去した後に記録用の光を照射させて記録を行わせる。これらのステップＳ３ないしＳ５の処理が消去後記録手段の機能として実行される。この消去後記録モードによる場合、上書きモードよりも処理時間がかかるが、高い記録品質が得られる。
【００２８】
このように、本実施の形態によれば、上書き記録手段による上書き記録モードと消去後記録手段による消去後記録モードとを選択自在に併有し、記録モード選択手段により何れかのモードを選択して記録させるようにしたので、必要に応じて消去後記録モードを選択して光ディスク１の記録済み領域に対して半導体レーザにより消去用の光を照射させて消去した後に記録用の光を照射させて記録を行わせることにより、信頼性の高い記録情報品質を得ることができる一方、特に記録品質の劣化を生じないケースでは上書き記録モードを選択して上書き記録を行わせることにより、必要以上に処理時間をかけることなく記録を行わせることができる。
【００２９】
本発明の第二の実施の形態を図３に基づいて説明する。第一の実施の形態で示した部分と同一部分は同一符号を用いて示し、説明も省略する（以降の各実施の形態でも同様とする）。本実施の形態は、複数段階の記録速度が選択自在なＣＤ−ＲＷ用ドライブ装置への適用例を示す。
【００３０】
本実施の形態の場合の記録済みの光ディスク１に対する記録時の動作制御例を図３に示す概略フローチャートを参照して説明する。まず、記録指令が出されて処理が開始されると、操作部１２により選択された記録速度に従い記録速度の設定を行う（Ｓ１１）。記録速度が設定されたら、それが高速記録速度であるか否かを判断する(Ｓ１２)。高速記録速度による記録モードが選択設定されている場合には（Ｓ１２のＹ）、高速記録速度の設定を行った後（Ｓ１３）、消去後記録モードに設定し（Ｓ１４）、光ディスク１の全面をＤＣ消去した後（Ｓ１５）、消去後記録モードに従い光ディスク１に対する記録処理を行う（Ｓ１８）。即ち、相変化型記録媒体による光ディスク１の場合、記録速度が速い程、記録品質が低下する傾向にあるので、光ディスク１の記録済み領域（全面）に対して半導体レーザによりイレースパワーＰｅによる消去用の光を照射させて消去した後に記録用の光を照射させて記録を行わせる。ステップＳ１２の処理が、記録モード選択手段の機能として実行される。また、ステップＳ１４ないしＳ１５及びＳ１８の処理が消去後記録手段の機能として実行される。この消去後記録モードによれば、上書きモードよりも処理時間がかかるが、高い記録品質が得られる。
【００３１】
一方、高速記録速度による記録モードが選択設定されていない場合には（Ｓ１２のＮ）、低速記録速度の設定を行った後（Ｓ１６）、上書きモードに設定し（Ｓ１７）、上書き記録モードに従い光ディスク１に対する記録処理を行う（Ｓ１８）。即ち、光ディスク１の記録済み領域に対して半導体レーザにより記録用の光を照射させてそのまま上書き記録を行わせる。これらのステップＳ１７及びＳ１８の処理が上書き記録手段の機能として実行される。低速記録速度の場合には、上書き記録モードにより記録しても、特別な記録品質の低下がみられないので、記録品質を維持しつつ、処理時間を短縮させることができる。
【００３２】
このように、本実施の形態によれば、特に記録品質が低下しやすい高速記録速度による記録時には消去後記録モードによる記録を自動的に選択することで、記録品質を確保することができる一方、特に記録品質の劣化を生じない低速記録速度による記録時には上書き記録モードを選択して上書き記録を行わせることにより、必要以上に処理時間をかけることなく記録を行わせることができる。
【００３３】
本発明の第三の実施の形態を図４に基づいて説明する。第一の実施の形態で示した部分と同一部分は同一符号を用いて示し、説明も省略する。本実施の形態は、記録モードとしてＣＬＶ記録方式とＣＡＶ記録方式とが選択自在なＣＤ−ＲＷ用ドライブ装置への適用例を示す。
【００３４】
ＣＬＶ（Ｃonstant Ｌinear Ｖelocity）記録方式とは、データ記録時に光ディスク１の線速度が一定となるようにＣＬＶ／ＣＡＶコントローラ３を制御しながら書込みを行うモードである。ＣＡＶ（Ｃonstant Ａngular Ｖelocity）記録方式とは、データ記録時に光ディスク１の角速度（回転数）が一定となるようにＣＬＶ／ＣＡＶコントローラ３を制御しながら書込みを行うモードであり、記録領域が光ディスク１の外周にいくほど線速度が速くなる。結果として、ＣＡＶ記録方式の方がＣＬＶ記録方式による場合よりも光ディスク１に対する記録処理時間が短くて済む反面、記録品質の低下を生じ得る。
【００３５】
このような前提の下、本実施の形態の場合の記録済みの光ディスク１に対する記録時の動作制御例を図４に示す概略フローチャートを参照して説明する。まず、記録指令が出されて処理が開始されると、記録モードの選択を待つ（Ｓ２１）。そして、選択された記録モードがＣＡＶ記録モードであるか否かを判断する（Ｓ２２）。ＣＡＶ記録モードであれば（Ｓ２２のＹ）、記録方式としてＣＡＶ記録モードに設定し（Ｓ２３）、かつ、消去後記録モードに設定し（Ｓ２４）、光ディスク１の全面をＤＣ消去した後（Ｓ２５）、消去後記録モードに従い光ディスク１に対する記録処理を行う（Ｓ２８）。即ち、ＣＡＶ記録モードによる記録の場合、記録速度が速くなることに伴い、記録品質が低下する傾向にあるので、光ディスク１の記録済み領域（全面）に対して半導体レーザによりイレースパワーＰｅによる消去用の光を照射させて消去した後に記録用の光を照射させて記録を行わせる。ステップＳ２２の処理が、記録モード選択手段の機能として実行される。また、ステップＳ２４ないしＳ２５及びＳ２８の処理が消去後記録手段の機能として実行される。この消去後記録モードによれば、上書きモードよりも処理時間がかかるが、高い記録品質が得られる。
【００３６】
一方、ＣＡＶ記録モードが選択設定されていない場合には（Ｓ２２のＮ）、記録方式としてＣＬＶ記録方式の設定を行った後（Ｓ２６）、上書きモードに設定し（Ｓ２７）、上書き記録モードに従い光ディスク１に対する記録処理を行う（Ｓ２８）。即ち、光ディスク１の記録済み領域に対して半導体レーザにより記録用の光を照射させてそのまま上書き記録を行わせる。これらのステップＳ２７及びＳ２８の処理が上書き記録手段の機能として実行される。ＣＬＶ記録方式の場合には、線速度が常に一定であるので、上書き記録モードにより記録しても、特別な記録品質の低下がみられないので、記録品質を維持しつつ、処理時間を短縮させることができる。
【００３７】
本発明の第四の実施の形態を図５に基づいて説明する。本実施の形態は、複数段階の記録速度が選択自在な上に、記録モードとしてＣＬＶ記録方式とＣＡＶ記録方式とが選択自在なＣＤ−ＲＷ用ドライブ装置への適用例を示す。
【００３８】
本実施の形態の場合の記録済みの光ディスク１に対する記録時の動作制御例を図５に示す概略フローチャートを参照して説明する。まず、記録指令が出されて処理が開始されると、操作部１２により選択された記録速度に従い記録速度の設定を行う（Ｓ３１）。記録速度が設定されたら、それが高速記録速度であるか否かを判断する(Ｓ３２)。高速記録速度による記録モードが選択設定されている場合には（Ｓ３２のＹ）、高速記録速度の設定を行った後（Ｓ３３）、選択された記録モードがＣＡＶ記録モードであるか否かを判断する（Ｓ３４）。ＣＡＶ記録モードであれば（Ｓ３４のＹ）、消去後記録モードに設定し（Ｓ３５）、光ディスク１の全面をＤＣ消去した後（Ｓ３６）、消去後記録モードに従い光ディスク１に対する記録処理を行う（Ｓ４３）。即ち、高速記録速度による記録であってＣＡＶ記録モードによる場合、記録速度が特に速くなることに伴い、記録品質が低下する傾向にあるので、光ディスク１の記録済み領域（全面）に対して半導体レーザによりイレースパワーＰｅによる消去用の光を照射させて消去した後に記録用の光を照射させて記録を行わせる。ステップＳ３４の処理が、記録モード選択手段の機能として実行される。また、ステップＳ３５ないしＳ３６及びＳ４３の処理が消去後記録手段の機能として実行される。この消去後記録モードによれば、上書きモードよりも処理時間がかかるが、高い記録品質が得られる。
【００３９】
また、ＣＡＶ記録モードが選択設定されていない場合には（Ｓ３４のＮ）、ＣＬＶ記録モードに従い、上書きモードに設定し（Ｓ３７）、上書き記録モードに従い光ディスク１に対する記録処理を行う（Ｓ４３）。即ち、光ディスク１の記録済み領域に対して半導体レーザにより記録用の光を照射させてそのまま上書き記録を行わせる。これらのステップＳ３７及びＳ４３の処理が上書き記録手段の機能として実行される。
【００４０】
一方、ステップＳ３２の判断において、高速記録速度による記録モードが選択設定されていない場合には、低速記録速度の設定を行った後（Ｓ３８）、選択された記録モードがＣＡＶ記録モードであるか否かを判断する（Ｓ３９）。ＣＡＶ記録モードであれば（Ｓ３９のＹ）、消去後記録モードに設定し（Ｓ４０）、光ディスク１の全面をＤＣ消去した後（Ｓ４１）、消去後記録モードに従い光ディスク１に対する記録処理を行う（Ｓ４３）。即ち、低速記録速度による記録であってＣＡＶ記録モードによる場合、記録速度が特に速くなることに伴い、記録品質が低下する傾向にあるので、光ディスク１の記録済み領域（全面）に対して半導体レーザによりイレースパワーＰｅによる消去用の光を照射させて消去した後に記録用の光を照射させて記録を行わせる。ステップＳ３９の処理が、記録モード選択手段の機能として実行される。また、ステップＳ４０ないしＳ４１及びＳ４３の処理が消去後記録手段の機能として実行される。この消去後記録モードによれば、上書きモードよりも処理時間がかかるが、高い記録品質が得られる。
【００４１】
また、ＣＡＶ記録モードが選択設定されていない場合には（Ｓ３９のＮ）、ＣＬＶ記録モードに従い、上書きモードに設定し（Ｓ４２）、上書き記録モードに従い光ディスク１に対する記録処理を行う（Ｓ４３）。即ち、光ディスク１の記録済み領域に対して半導体レーザにより記録用の光を照射させてそのまま上書き記録を行わせる。これらのステップＳ４２及びＳ４３の処理が上書き記録手段の機能として実行される。低速記録速度であってＣＬＶ記録モードの場合には、上書き記録モードにより記録しても、特別な記録品質の低下がみられないので、記録品質を維持しつつ、処理時間を短縮させることができる。
【００４２】
本発明の第五の実施の形態を図６に基づいて説明する。本実施の形態は、記録するデータ容量を測定するデータ容量測定手段の機能を備えたＣＤ−ＲＷ用ドライブ装置への適用例を示し、その一例として、第三の実施の形態のような記録モードとしてＣＬＶ記録方式とＣＡＶ記録方式とが選択自在なＣＤ−ＲＷ用ドライブ装置への適用例を示す。
【００４３】
本実施の形態の場合の記録済みの光ディスク１に対する記録時の動作制御例を図６に示す概略フローチャートを参照して説明する。まず、記録指令が出されて処理が開始されると、記録モードの選択を待つ（Ｓ５１）。そして、選択された記録モードがＣＡＶ記録モードであるか否かを判断する（Ｓ５２）。ＣＡＶ記録モードであれば（Ｓ５２のＹ）、記録方式としてＣＡＶ記録モードに設定し（Ｓ５３）、かつ、消去後記録モードに設定する（Ｓ５４）。ここで、本実施の形態では、新たに書き込もうとするデータ容量をデータビット数の計数等に基づき測定する（Ｓ５５）。このステップＳ５５の処理がデータ量測定手段の機能として実行される。この後、光ディスク１の全面ではなく、書き込もうとするデータ容量分の記録済み領域のデータをＤＣ消去した後（Ｓ５６）、消去後記録モードに従い光ディスク１に対する記録処理を行う（Ｓ５９）。即ち、前述した第三の実施の形態等の場合には、記録後記録モードの処理として、光ディスク１の記録済み領域（全面）に対して半導体レーザによりイレースパワーＰｅによる消去用の光を照射させて消去するようにしたが、本実施の形態によれば、新たに書き込もうとするデータ容量分だけを消去するので、高い記録品質を得る機能を損なうことなく、消去処理に要する時間、従って、記録処理に要する時間を短縮させることができる。
【００４４】
なお、ＣＡＶ記録モードでない場合には（Ｓ５２のＮ）、上書きモードに設定される（Ｓ５７，Ｓ５８）。
【００４５】
本発明の第六の実施の形態を図７に基づいて説明する。本実施の形態は、記録するデータ容量を測定するデータ容量測定手段の機能を備えたＣＤ−ＲＷ用ドライブ装置への適用例を示し、その一例として、第四の実施の形態のような複数段階の記録速度が選択自在な上に、記録モードとしてＣＬＶ記録方式とＣＡＶ記録方式とが選択自在なＣＤ−ＲＷ用ドライブ装置への適用例を示す。
【００４６】
本実施の形態の場合の記録済みの光ディスク１に対する記録時の動作制御例を図７に示す概略フローチャートを参照して説明する。まず、記録指令が出されて処理が開始されると、操作部１２により選択された記録速度に従い記録速度の設定を行う（Ｓ６１）。記録速度が設定されたら、それが高速記録速度であるか否かを判断する(Ｓ６２)。高速記録速度による記録モードが選択設定されている場合には（Ｓ６２のＹ）、高速記録速度の設定を行った後（Ｓ６３）、選択された記録モードがＣＡＶ記録モードであるか否かを判断する（Ｓ６４）。ＣＡＶ記録モードであれば（Ｓ６４のＹ）、消去後記録モードに設定する（Ｓ６５）。ここで、本実施の形態では、新たに書き込もうとするデータ容量をデータビット数の計数等に基づき測定する（Ｓ６６）。このステップＳ６６の処理がデータ量測定手段の機能として実行される。この後、光ディスク１の全面ではなく、書き込もうとするデータ容量分の記録済み領域のデータをＤＣ消去した後（Ｓ６７）、消去後記録モードに従い光ディスク１に対する記録処理を行う（Ｓ７５）。即ち、前述した第四の実施の形態の場合には、記録後記録モードの処理として、光ディスク１の記録済み領域（全面）に対して半導体レーザによりイレースパワーＰｅによる消去用の光を照射させて消去するようにしたが、本実施の形態によれば、新たに書き込もうとするデータ容量分だけを消去するので、高い記録品質を得る機能を損なうことなく、消去処理に要する時間、従って、記録処理に要する時間を必要最少限に短縮させることができる。
【００４７】
一方、ステップＳ６２の判断において、高速記録速度による記録モードが選択設定されていない場合には、低速記録速度の設定を行った後（Ｓ６９）、選択された記録モードがＣＡＶ記録モードであるか否かを判断する（Ｓ７０）。ＣＡＶ記録モードであれば（Ｓ７０のＹ）、消去後記録モードに設定する（Ｓ７１）。ここで、本実施の形態では、新たに書き込もうとするデータ容量をデータビット数の計数等に基づき測定する（Ｓ７２）。このステップＳ７２の処理がデータ量測定手段の機能として実行される。この後、光ディスク１の全面ではなく、書き込もうとするデータ容量分の記録済み領域のデータをＤＣ消去した後（Ｓ７３）、消去後記録モードに従い光ディスク１に対する記録処理を行う（Ｓ７５）。即ち、前述した第四の実施の形態の場合には、記録後記録モードの処理として、光ディスク１の記録済み領域（全面）に対して半導体レーザによりイレースパワーＰｅによる消去用の光を照射させて消去するようにしたが、本実施の形態によれば、新たに書き込もうとするデータ容量分だけを消去するので、高い記録品質を得る機能を損なうことなく、消去処理に要する時間、従って、記録処理に要する時間を必要最少限に短縮させることができる。
【００４８】
なお、何れの場合もＣＡＶ記録モードでない場合には（Ｓ６４のＮ，Ｓ７０のＮ）、上書きモードに設定される（Ｓ６８，Ｓ７４）。
【００４９】
なお、特に図示しないが、何れの実施の形態の場合も、消去後記録モードによる記録処理を行う上で、そのときの記録速度よりも消去速度の方が高速になるように速度制御させれば、元々上書き記録モードよりも処理時間のかかる消去後記録モードの処理時間を短縮させることができる。
【００５０】
【発明の効果】
請求項１記載の発明によれば、上書き記録手段と消去後記録手段とを選択自在に併有し、記録モード選択手段により何れかを選択して記録させるようにしたので、必要に応じて消去後記録手段を選択して記録媒体の記録済み領域に対して光源により消去用の光を照射させて消去した後に記録用の光を照射させて記録を行わせることにより、信頼性の高い記録情報品質を得ることができ、特に記録品質の劣化を生じないケースでは上書き記録手段を選択して上書き記録を行わせることにより、必要以上に処理時間をかけることなく記録を行わせることができる。また、消去後記録手段による記録を行う上で、記録するデータ容量を測定し、そのデータ容量分だけ記録済み領域のデータを消去した後にそのデータ容量分の記録を行わせることで、消去に要する時間を必要最少限にして信頼のおける記録情報品質を得ることができる。
【００５１】
請求項２記載の発明によれば、請求項１記載の情報記録装置において、特に記録品質が低下しやすい高速記録速度による記録時には消去後記録手段による記録を自動的に選択することで、記録品質を確保することができる一方、特に記録品質の劣化を生じない低速記録速度による記録時には上書き記録手段を選択して上書き記録を行わせることにより、必要以上に処理時間をかけることなく記録を行わせることができる。
【００５２】
請求項３記載の発明によれば、請求項１記載の情報記録装置において、線速度が速くなり特に記録品質が低下しやすいＣＡＶ記録モードによる記録時には消去後記録手段による記録を自動的に選択することで、記録品質を確保することができる一方、線速度が一定で特に記録品質の劣化を生じないＣＬＶ記録モードによる記録時には上書き記録手段を選択して上書き記録を行わせることにより、必要以上に処理時間をかけることなく記録を行わせることができる。
【００５４】
請求項４記載の発明によれば、請求項１ないし３の何れか一に記載の情報記録装置において、消去後記録手段による記録を行う上で、消去速度の方が記録速度よりも速いので、処理時間を短縮させることができる。
【００５５】
請求項５記載の発明によれば、書換え可能な記録媒体として典型的な相変化型記録媒体を用いた場合に請求項１ないし４記載の発明の効果を得ることができる。
【図面の簡単な説明】
【図１】本発明の第一の実施の形態の情報記録装置の構成を示すブロック図である。
【図２】その記録処理制御例を示す概略フローチャートである。
【図３】本発明の第二の実施の形態の記録処理制御例を示す概略フローチャートである。
【図４】本発明の第三の実施の形態の記録処理制御例を示す概略フローチャートである。
【図５】本発明の第四の実施の形態の記録処理制御例を示す概略フローチャートである。
【図６】本発明の第五の実施の形態の記録処理制御例を示す概略フローチャートである。
【図７】本発明の第六の実施の形態の記録処理制御例を示す概略フローチャートである。
【図８】ＣＤ−ＲＷ光ディスクに対する記録波形例、記録状態等を示す説明図である。
【符号の説明】
１      書換え可能な記録媒体
Ｓ１      記録モード選択手段
Ｓ２，Ｓ５      上書き記録手段
Ｓ３〜Ｓ５      消去後記録手段
Ｓ１２      記録モード選択手段
Ｓ１４，Ｓ１５，Ｓ１８      消去後記録手段
Ｓ１７，Ｓ１８      上書き記録手段
Ｓ２２      記録モード選択手段
Ｓ２４，Ｓ２５，Ｓ２８      消去後記録手段
Ｓ２７，Ｓ２８      上書き記録手段
Ｓ３２，Ｓ３４      記録モード選択手段
Ｓ３５，Ｓ３６，Ｓ４３      消去後記録手段
Ｓ３７，Ｓ４３      上書き記録手段
Ｓ３９      記録モード選択手段
Ｓ４０，Ｓ４１，Ｓ４３      消去後記録手段
Ｓ４２，Ｓ４３      上書き記録手段
Ｓ５２      記録モード選択手段
Ｓ５４，Ｓ５６，Ｓ５９      消去後記録手段
Ｓ５５      データ量測定手段
Ｓ５８，Ｓ５９      上書き記録手段
Ｓ６２，Ｓ６４      記録モード選択手段
Ｓ６５，Ｓ６７，Ｓ７５      消去後記録手段
Ｓ６６      データ量測定手段
Ｓ６８，Ｓ７５      上書き記録手段
Ｓ７０      記録モード選択手段
Ｓ７１，Ｓ７３，Ｓ７５      消去後記録手段
Ｓ７２      データ量測定手段
Ｓ７４，Ｓ７５      上書き記録手段
【図１】
0003887146.tif 000002
【図２】
0003887146.tif 000003
【図３】
0003887146.tif 000004
【図４】
0003887146.tif 000005
【図５】
0003887146.tif 000006
【図６】
0003887146.tif 000007
【図７】
0003887146.tif 000008
【図８】
0003887146.tif 000009